【事件の表示】
　特願２０１５−２２５５０８号「貨幣処理装置および貨幣処理方法」拒絶査定不服審判事件〔平成２９年　６月　１日出願公開，特開２０１７−　９７４０６号，請求項の数（１０）〕について，次のとおり審決する。
【結　論】
　原査定を取り消す。
　本願の発明は，特許すべきものとする。
【理　由】
第１．手続の経緯
　本願は，平成２７年１１月１８日の出願であって，平成３１年４月２６日付けで拒絶理由が通知され，令和１年７月４日付けで意見書が提出されるとともに手続補正がされたが，同年１２月１９日付けで最後の拒絶理由が通知され，令和２年２月１８日付けで意見書が提出されるとともに手続補正されたが，同年５月２９日付けの補正の却下の決定により同年２月１８日付けの手続補正が却下されるとともに，同日付けで拒絶査定（以下「原査定」という。）がされ，これに対し，同年８月１８日に拒絶査定不服審判の請求がされるとともに手続補正がされ，同年８月２５日付けで手続補正指令（方式）がされ，同年８月２８日に手続補正（方式）がされ，令和３年３月４日付けで拒絶理由が通知（以下「当審拒絶理由通知」という。）され，同年４月２８日付けで意見書が提出されるとともに手続補正がされたものである。
 
第２　本願発明
　本願請求項１〜１０に係る発明（以下「本願発明１」〜「本願発明１０」という。）は，令和３年４月２８日付けの手続補正で補正された特許請求の範囲の請求項１〜１０に記載された事項により特定される，以下のとおりの発明である。
「【請求項１】
　少なくとも貨幣の出金処理を行う貨幣処理装置であって，
　記録媒体に記録されている，前記貨幣処理装置とは別に設けられた貨幣釣銭機に関する情報である釣銭機情報を読み取る読取部と，
　貨幣を払い出すための払出手段と，
　前記読取部により読み取られた釣銭機情報に基づいて前記貨幣釣銭機に補充されるべき貨幣を払い出すよう前記払出手段を制御する制御部と，
　を備え，
　前記貨幣処理装置は，少なくとも紙幣の出金処理を行う紙幣処理ユニットおよび少なくとも硬貨の出金処理を行う硬貨処理ユニットを含み，
　貨幣の収納および収納されている貨幣の繰り出しを行う収納カセットが着脱自在に装着されるようになっており，
　前記記録媒体は前記収納カセットに設けられており，
　釣銭補充金に係る貨幣を前記貨幣処理装置から出金する際に，釣銭補充金としての紙幣の金種毎の枚数および硬貨の金種毎の枚数に係る情報を前記記録媒体に書き込む書込部を更に備え，
　前記収納カセットが装着された際に前記読取部により読み取られた第１の釣銭機情報に含まれる前記貨幣釣銭機の在高に係る情報と，装着されている前記収納カセットに釣銭補充金に係る紙幣が収納される際に前記書込部で書き込まれた前記釣銭補充金に係る情報と，釣銭補充金に係る紙幣が収納されている前記収納カセットが取り外された後，再び前記収納カセットが装着された際に前記読取部により読み取られた第２の釣銭機情報とに基づいて，釣銭補充金に係る紙幣が収納された後に取り外された前記収納カセットが前記貨幣釣銭機に装着されて当該貨幣釣銭機に前記釣銭補充金に係る貨幣が入金されてから取り外されるまでの間において前記貨幣釣銭機に入金された売上金に係る貨幣の金種毎の枚数が算出される，貨幣処理装置。
　　【請求項２】
　前記収納カセットは前記紙幣処理ユニットに装着されるようになっており，前記収納カセットには貨幣のうち紙幣のみが収納されるようになっている，請求項１記載の貨幣処理装置。
　　【請求項３】
　前記貨幣処理装置は，包装硬貨を収納する包装硬貨収納ユニットを含み，
　釣銭補充金に係る貨幣を前記貨幣処理装置から出金する際に，釣銭補充金としての包装硬貨の金種毎の本数に係る情報も前記書込部により前記記録媒体に書き込まれる，請求項１記載の貨幣処理装置。
　　【請求項４】
　前記第１の釣銭機情報および前記第２の釣銭機情報は，包装硬貨の在高を含む前記貨幣釣銭機の在高である，請求項１乃至３のいずれか一項に記載の貨幣処理装置。
　　【請求項５】
　前記貨幣釣銭機における貨幣の金種毎の残置設定枚数を記憶する記憶部を更に備え，
　前記第１の釣銭機情報および前記第２の釣銭機情報は，包装硬貨の在高を含む前記貨幣釣銭機の在高であり，
　前記記憶部に記憶されている貨幣の金種毎の残置設定枚数から前記読取部により読み取られた前記貨幣釣銭機の在高に係る貨幣の金種毎の枚数を差し引くことにより，前記払出手段により払い出されるべき貨幣の金種毎の枚数が算出される，請求項１記載の貨幣処理装置。
　　【請求項６】
　包装硬貨を収納する包装硬貨収納部と，
　前記包装硬貨収納部を筐体の内部にロックするロック機構と，
　を更に備えており，
　前記制御部は，前記払出手段により払い出されるべき貨幣に包装硬貨が含まれる場合には前記包装硬貨収納部のロックを解除するよう前記ロック機構を制御する，請求項１乃至５のいずれか一項に記載の貨幣処理装置。
　　【請求項７】
　前記払出手段は，前記貨幣処理装置に装着されている前記収納カセットに貨幣を払い出すようになっている，請求項６記載の貨幣処理装置。
　　【請求項８】
　筐体の内部から外部に貨幣を投出するための出金口が設けられており，
　前記払出手段は，前記出金口を介して前記筐体の外部に貨幣を払い出すようになっている，請求項１乃至５のいずれか一項に記載の貨幣処理装置。
　　【請求項９】
　前記貨幣釣銭機に装着されてから取り外された前記収納カセットの前記記録媒体から読み取られた前記貨幣釣銭機の在高における貨幣の金種毎の枚数から，前記書込部より前記記録媒体に書き込まれた前記釣銭補充金に係る貨幣の金種毎の枚数，および前記釣銭補充金に係る貨幣を前記貨幣処理装置から出金する前に前記記録媒体から読み取られた前記貨幣釣銭機の在高における貨幣の金種毎の枚数をそれぞれ差し引くことにより，前記貨幣釣銭機に入金された売上金に係る貨幣の金種毎の枚数が算出される，請求項１乃至８のいずれか一項に記載の貨幣処理装置。
　　【請求項１０】
　少なくとも紙幣の出金処理を行う紙幣処理ユニットおよび少なくとも硬貨の出金処理を行う硬貨処理ユニットを含む貨幣処理装置による貨幣処理方法であって，
　記録媒体に記録されている，前記貨幣処理装置とは別に設けられた貨幣釣銭機に関する情報である釣銭機情報を読取部により読み取る工程と，
　前記読取部により読み取られた釣銭機情報に基づいて前記貨幣釣銭機に補充されるべき貨幣を払い出す工程と，
　を備え，
　貨幣の収納および収納されている貨幣の繰り出しを行う収納カセットが着脱自在に装着されるようになっており，
　前記記録媒体は前記収納カセットに設けられており，
　釣銭補充金に係る貨幣を前記貨幣処理装置から出金する際に，釣銭補充金としての紙幣の金種毎の枚数および硬貨の金種毎の枚数に係る情報を前記記録媒体に書き込む工程を更に備え，
　前記収納カセットが装着された際に前記読取部により読み取られた第１の釣銭機情報に含まれる前記貨幣釣銭機の在高に係る情報と，装着されている前記収納カセットに釣銭補充金に係る紙幣が収納される際に前記書込部で書き込まれた前記釣銭補充金に係る情報と，釣銭補充金に係る紙幣が収納されている前記収納カセットが取り外された後，再び前記収納カセットが装着された際に前記読取部により読み取られた第２の釣銭機情報に含まれる貨幣釣銭機の在高に係る情報とに基づいて，釣銭補充金に係る紙幣が収納された後に取り外された前記収納カセットが前記貨幣釣銭機に装着されて当該貨幣釣銭機に前記釣銭補充金に係る貨幣が入金されてから取り外されるまでの間において前記貨幣釣銭機に入金された売上金に係る貨幣の金種毎の枚数が算出される，貨幣処理方法。」
第３　引用文献，引用発明等
１．引用文献１について
　原査定の拒絶の理由に引用された引用文献１（特開２０１２−１７４０６２号公報）には，図面とともに次の事項が記載されている（下線は当審で付与した。以下同様。）。
・「【技術分野】
【０００１】
　本発明は，紙幣処理装置に係わり，例えば，店舗のチェックアウトカウンター側に設置された現金精算装置に紙幣を補充し，あるいは現金精算装置から紙幣を回収するための紙幣処理装置に関する。
 【背景技術】
【０００２】
　従来から店舗のチェックアウトカウンター側において店員が客との現金（紙幣，硬貨）の受け渡し業務を行うために現金精算装置が使用されている。現金精算装置は，投入された現金を計数して収納し，収納されている現金を釣銭として払い出す機能を有している。一般に，チェックアウトカウンターは，紙幣精算装置（紙幣釣銭機）と，硬貨精算装置（硬貨釣銭機）と，ＰＯＳ（Point Of Sales）レジスタ等の金銭登録機とを通信可能に接続したものとして構成される。
【０００３】
　一方，店舗のバックオフィス側においては，その店舗内に設置された現金精算装置に釣銭準備金等の現金を装填（補充）し，あるいは，現金精算装置の売上金等を回収するために現金出納装置が使用されている。現金出納装置は，現金精算装置から回収された現金を収納（入金）し，現金精算装置へ装填する現金を投出（出金）する機能を有している。現金出納装置には，紙幣出納装置と硬貨出納装置とがある。
【０００４】
　近年，現金精算装置と現金出納装置との間で現金を搬送する際のセキュリティを確保するため，現金を搬送するためのカセット（以下，「現金搬送カセット」という。）を使用することが提案されている。」
・「【００２０】
　本実施形態に係る紙幣出納装置が使用されるシステムの一例として，図１に示す現金管理システム１を説明する。
【００２１】
　図１は，現金管理システム１の構成例を示すブロック図である。現金管理システム１は，店員が顧客から受け取った現金，および，店員が顧客へ支払う現金を処理および管理するシステムである。
【００２２】
　現金管理システム１は，店舗内のチェックアウトエリアに設けられており，店員が顧客との間でやりとりした現金を入出金するチェックアウトカウンター１０と，チェックアウトカウンター１０の現金および商品を管理するバックオフィス２０と，チェックアウトカウンター１０とバックオフィス２０との間において現金を搬送する現金搬送カセット３０とから構成されている。
【００２３】
　チェックアウトカウンター１０は，現金を入金および出金することにより顧客との精算処理を行う現金精算装置１１と，レジスタ１４とを含む。レジスタ１４は，例えば，店員によって操作されるＰＯＳレジスタ，または顧客によって操作されるセルフチェックアウト用レジスタである。図１では，チェックアウトエリアは，３つのチェックアウトカウンター１０を含む。
【００２４】
　現金精算装置１１は，レジスタ１４を介して店員によって操作され，店員と顧客との間の精算処理に用いられる。例えば，
現金精算装置１１は，顧客が支払った代金を入金し，あるいは，顧客へ支払う釣銭を出金する
【００２５】
　バックオフィス２０は，現金出納装置２１と，現金管理装置２５と，ＰＯＳ管理装置２６とを含む。
現金出納装置２１は，
現金精算装置１１へ装填するための釣銭準備金を出金し，あるいは，現金精算装置１１から回収した売上金を入金する。
【００２６】
　
現金搬送カセット３０は，現金精算装置１１および現金出納装置２１に着脱可能に構成され
現金搬送カセット３０は，現金精算装置１１または現金出納装置２１に装着されているときには現金精算装置１１または現金出納装置２１との間で現金を授受することができ
【００２７】
　
店員は，現金搬送カセット３０を用いて現金精算装置１１と現金出納装置２１との間における現金の搬送を行う。
釣銭準備金の装填時，店員は，現金出納装置２１から出金して現金精算装置１１に装填する現金を，現金搬送カセット３０を用いて現金出納装置２１から現金精算装置１１に搬送す
売上金の回収時，店員は，現金精算装置１１から回収して現金出納装置２１に入金する現金を，現金搬送カセット３０を用いて現金精算装置１１から現金出納装置２１に搬送す
【００２８】
　なお，
現金搬送カセット３０は，紙幣および硬貨のいずれか一方を収納および繰り出しできるように構成され
【００２９】
　
紙幣用の現金搬送カセット３０（紙幣カセット３０ａ）
【００３０】
　
現金搬送カセット３０は，
収納する現金に関する情報（金種別の数など）を記憶する記憶部を備え
【００３１】
　図２は，現金出納装置２１の一例の外観を示す図である。
現金出納装置２１は，紙幣出納装置２２および硬貨出納装置２３を含む
紙幣出納装置２２は，紙幣精算装置１２へ装填する紙幣を出金し，紙幣精算装置１２から回収した紙幣を入金する。硬貨出納装置２３は，硬貨精算装置１３へ装填する硬貨を出金し，硬貨精算装置１３から回収した硬貨を入金する。
【００３２】
　次に，紙幣処理装置としての紙幣出納装置２２の構成について説明する。
紙幣出納装置２２は，
紙幣操出ユニットから紙幣を受け入れ可能なように構成され
紙幣操出ユニットとは，紙幣を繰出可能なユニットをいい，紙幣出納装置２２の外部から紙幣を受け入れて１枚ずつ繰出す紙幣受入ユニット２０１ａと，紙幣を内部に収容し，収納した紙幣を繰出す紙幣カセット３０ａとを含む
【００３３】
　図４（Ａ）および（Ｂ）に示すように，入金部２１０ａは，搬送部２３０ａの端部２３１ａに設けられており，紙幣操出ユニットが装着（接続）可能なように構成されている。紙幣操出ユニットが入金部２１０ａに装着された状態において，紙幣操出ユニットから繰出された紙幣は搬送部２３０ａの端部２３１ａを介して紙幣出納装置２２内に搬送されることができる。このように，
入金部２１０ａは，紙幣操出ユニットから繰出された紙幣が搬送部２３０ａの端部２３１ａから機内に搬送されるように，紙幣操出ユニットと搬送部２３０ａとを接続す
店員が紙幣出納装置２２へ紙幣カセット３０ａを用いて紙幣を入金
する場合には，紙幣受入ユニット２０１ａに代えて，紙幣カセット３０ａが入金部２１０ａに装着され
紙幣出納装置２２は，
入金部２１０ａに紙幣カセット３０ａを着脱することができ
・「【００３７】
　図３は，紙幣出納装置２２の構成例を示すブロック図である。
紙幣出納装置２２は，
入金部２１０ａ，
搬送部２３０ａと
収納部２５０ａと
リード・ライト部２５７ａと
メモリ２７０ａ
制御部２９０ａとを
備え
【００３８】
　搬送部２３０ａは，紙幣操出ユニットが接続され，機内に受け入れた紙幣を搬送する。より詳しくは，搬送部２３０ａは，入金部２１０ａに装着された紙幣受入ユニット２０１ａに投入された紙幣を収納部２５０ａへ搬送し，あるいは，出金部２２０ａから投出する紙幣を収納部２５０ａから搬送する。また，
搬送部２３０ａは，収納部２５０ａから紙幣カセット３０ａへ紙幣を搬送し，あるいは，紙幣カセット３０ａから収納部２５０ａへ紙幣を搬送でき
【００３９】
　識別部２４０ａは，例えば，磁気センサ，蛍光センサ，金属スレッドセンサ，厚みセンサ，イメージセンサ等のセンサを備え，記憶している各紙幣の特徴とセンサの出力とを比較して，搬送部２３０ａによって搬送される紙幣が受付可能な紙幣か受付できないリジェクト紙幣であるかを識別する。ここで，リジェクト紙幣は，例えば，紙幣以外の紙葉類，受付対象外の外国紙幣，破れや汚れのために識別できない紙幣である。また，搬送の際に，重なって搬送される紙幣や，紙幣同士の間隔が所定の間隔よりも狭い紙幣もリジェクト紙幣として扱われる。
【００４０】
　さらに，識別部２４０ａは，リジェクト紙幣ではない紙幣について，その金種，真偽，正損（正券／損券），新旧等を識別するように構成されている。ここで，正券および損券はいずれも金種の識別が可能な紙幣であるが，正券は流通に適した状態の紙幣をいい，損券は破れや汚れにより流通に適さない紙幣をいう。
【００４１】
　収納部２５０ａは，識別部２４０ａにおいて識別された紙幣を金種ごとに収納するとともに，収納した紙幣を１枚ずつ繰出す。この収納部２５０ａは，スタック式収納部でもよく，あるいは，テープリール式収納部であってもよい。回収部２５５ａは，紙幣出納装置２２の収納部２５０ａに収納された紙幣を回収する際に用いられる。回収部２５５ａはボックス，袋などで構成される。
【００４２】
　
リード・ライト部２５７ａは，紙幣カセット３０ａに設けられた記憶部と
通信可能に接続され，この記憶部に格納された情報を読み取り，あるいは，記憶部へ情報を書き込むことができるように構成され
・「【００６２】
　（入金処理） 
入金処理は，
紙幣精算装置１２から回収された紙幣を紙幣出納装置２２に入金する際に行われ
紙幣の入金は，
紙幣カセット３０ａ
を用いても可能であ
・「【００６９】
　上記のように，紙幣出納装置２２は，紙幣受入ユニット２０１ａから繰出された紙幣か紙幣カセット３０ａから繰出された紙幣かによって，機内に受け入れられたリジェクト紙幣の搬送先を変える。より具体的には，紙幣受入ユニット２０１ａから繰出された紙幣の場合には，制御部２９０ａは，リジェクト紙幣を機外リジェクト部２２２ａに搬送するように搬送部２３０ａを制御する。一方，紙幣カセット３０ａから繰出された紙幣の場合には，制御部２９０ａはリジェクト紙幣を機内リジェクト部２２４ａに搬送するように搬送部２３０ａを制御する。なお，
入金処理の内容はメモリ２７０ａに記憶され
・「【００７１】
　（出金処理） 
出金処理は，
紙幣精算装置１２に紙幣を補充する際に行われ
紙幣の出金は，
紙幣カセット３０ａ
を用いても可能であ
・「【００７３】
　
紙幣カセット３０ａに搬送された紙幣は紙幣カセット３０ａに収納され，紙幣カセット３０ａの記憶部は収納する紙幣の金種別枚数を記憶する
・「【０１１４】
　図１１（Ａ）及び（Ｂ）に示すように，紙幣受入ユニット２０１ａに代えて紙幣カセット３０ａを装着するときは，紙幣受入ユニット２０１ａを紙幣出納装置２２から取り外して退避させる。このように，第３の実施形態では，紙幣受入ユニット２０１ａを紙幣出納装置２２から取り外すことにより，紙幣カセット３０ａを装着するスペースを設ける。
【０１１５】
　紙幣受入ユニット２０１ａを退避した後，図１１（Ｂ）からわかるように，紙幣カセット３０ａを入金部２１０ａに装着する。これにより，紙幣カセット３０ａは搬送部２３０ａと接続され，紙幣カセット３０ａから繰出された紙幣を搬送部２３０ａにより機内に搬送することができる。」
・図１〜図３，図４（Ｂ）には，以下の内容が示されている。
 【図１】
 
【図３】
【図４】
　これらの記載事項からみて，引用文献１には，以下の発明（以下「引用発明」という。）が記載されていると認められる。
「顧客が支払った代金を入金し，あるいは，顧客へ支払う釣銭を出金する，現金精算装置１１と，
　現金精算装置１１へ装填するための釣銭準備金を出金し，あるいは，現金精算装置１１から回収した売上金を入金する，現金出納装置２１であって，
　現金搬送カセット３０は，現金精算装置１１および現金出納装置２１に着脱可能に構成され，現金搬送カセット３０は，現金精算装置１１または現金出納装置２１に装着されているときには現金精算装置１１または現金出納装置２１との間で現金を授受することができ，
　店員は，現金搬送カセット３０を用いて現金精算装置１１と現金出納装置２１との間における現金の搬送を行い，釣銭準備金の装填時，店員は，現金出納装置２１から出金して現金精算装置１１に装填する現金を，現金搬送カセット３０を用いて現金出納装置２１から現金精算装置１１に搬送し，売上金の回収時，店員は，現金精算装置１１から回収して現金出納装置２１に入金する現金を，現金搬送カセット３０を用いて現金精算装置１１から現金出納装置２１に搬送し，
　現金搬送カセット３０は，紙幣および硬貨のいずれか一方を収納および繰り出しできるように構成され，
　現金搬送カセット３０は，収納する現金に関する情報（金種別の数など）を記憶する記憶部を備え，紙幣用の現金搬送カセット３０は紙幣カセット３０ａであり，
　現金出納装置２１は，紙幣出納装置２２および硬貨出納装置２３を含み，紙幣出納装置２２は，紙幣精算装置１２へ装填する紙幣を出金し，紙幣精算装置１２から回収した紙幣を入金し，硬貨出納装置２３は，硬貨精算装置１３へ装填する硬貨を出金し，硬貨精算装置１３から回収した硬貨を入金し，
　紙幣出納装置２２は，紙幣操出ユニットから紙幣を受け入れ可能なように構成され，紙幣操出ユニットとは，紙幣を繰出可能なユニットをいい，紙幣出納装置２２の外部から紙幣を受け入れて１枚ずつ繰出す紙幣受入ユニット２０１ａと，紙幣を内部に収容し，収納した紙幣を繰出す紙幣カセット３０ａとを含み，
　入金部２１０ａは，紙幣操出ユニットから繰出された紙幣が搬送部２３０ａの端部２３１ａから機内に搬送されるように，紙幣操出ユニットと搬送部２３０ａとを接続し，
　店員が紙幣出納装置２２へ紙幣カセット３０ａを用いて紙幣を入金する場合には，紙幣受入ユニット２０１ａに代えて，紙幣カセット３０ａが入金部２１０ａに装着され，紙幣出納装置２２は，入金部２１０ａに紙幣カセット３０ａを着脱することができ，
　紙幣出納装置２２は，入金部２１０ａ，搬送部２３０ａ，収納部２５０ａと，リード・ライト部２５７ａと，メモリ２７０ａと，制御部２９０ａとを備え，リード・ライト部２５７ａは，紙幣カセット３０ａに設けられた記憶部と通信可能に接続され，この記憶部に格納された情報を読み取り，あるいは，記憶部へ情報を書き込むことができるように構成され，
　搬送部２３０ａは，収納部２５０ａから紙幣カセット３０ａへ紙幣を搬送し，あるいは，紙幣カセット３０ａから収納部２５０ａへ紙幣を搬送でき，
　入金処理は，紙幣精算装置１２から回収された紙幣を紙幣出納装置２２に入金する際に行われ，紙幣の入金は，紙幣カセット３０ａを用いても可能であり，入金処理の内容はメモリ２７０ａに記憶され，
　出金処理は，紙幣精算装置１２に紙幣を補充する際に行われ，紙幣の出金は，紙幣カセット３０ａを用いても可能であり，
　紙幣カセット３０ａに搬送された紙幣は紙幣カセット３０ａに収納され，紙幣カセット３０ａの記憶部は収納する紙幣の金種別枚数を記憶する，
　現金出納装置２１。」
　
２．引用文献２について
　原査定の拒絶の理由に引用された引用文献２（特開２０１５−９２３２６号公報）には，図面とともに次の事項が記載されている。
・「【技術分野】
【０００１】
　本発明は，紙幣や硬貨等の貨幣の処理を行う貨幣処理装置，貨幣処理方法および貨幣処理システムに関する。」
・「【００２６】
　以下，図面を参照して本発明の実施の形態について説明する。図１乃至図１１は，本実施の形態による売上入金機（貨幣処理装置）およびこの売上入金機を備えた貨幣処理システムを示す図である。このうち，図１は，本実施の形態による売上入金機が設置された店舗の構成の概略を示す概略構成図であり，図２は，図１に示す
店舗のフロント領域の精算所に設置されたレジユニットにおける硬貨釣銭機，紙幣釣銭機およびＰＯＳレジスタ
店舗のバックヤード領域に設置された売上入金機
・「【００４４】
　紙幣回収カセット２０７は筐体２１０の前面から引き出すことにより当該筐体２１０の外部に取り出すことができるようになっている。このような紙幣回収カセット２０７の構成の詳細を図８に示す。図８に示すように，
紙幣回収カセット２０７の底面にはＩＣタグ２０７ｃが設けられており，このＩＣタグ２０７ｃに様々な情報
硬貨釣銭機１００や紙幣釣銭機２００の在高
紙幣回収カセット２０７に収納されている紙幣の金額や金種毎の枚数
を記憶させることができ
・「【００９２】
　また，本実施の形態の売上入金機２２においては，前述したように，ＩＣタグ２０７ｃにより保持される情報は，レジ担当者の識別番号，レジにおける売上金額およびレジに設置された硬貨釣銭機１００や紙幣釣銭機２００の在高のうち少なくとも一つのものを更に含んでいてもよい。この場合には，レジユニット１８のＰＯＳレジスタ３００と売上入金機２２とを通信可能に接続しなくても，レジユニット１８における上述の様々な情報を売上入金機２２は自動的に取得することができるようになる。また，このような貨幣の処理方法では，レジ担当者の識別番号，レジにおける売上金額およびレジに設置された硬貨釣銭機１００や紙幣釣銭機２００の在高等の情報をレジ担当者が手入力で売上入金機２２に入力する必要がなくなり，入力間違いの発生を防止して現金管理の厳正化を図ることができるようになる。」
・「【０１０１】
　また，
バックヤード領域２０に売上入金機２２を設置する代わりに，貨幣の入金処理および出金処理を行う入出金機を設置し，レジユニット１８の硬貨釣銭機１００や紙幣釣銭機２００で用いられる釣銭準備金としての貨幣がこの入出金機から出金されるようになってい
紙幣回収カセット２０７に設けられたＩＣタグ２０７ｃに硬貨釣銭機１００や紙幣釣銭機２００の在高を書き込み
入出金機のＩＣリーダ
によりこのＩＣタグ２０７ｃの情報を読み取ることにより，入出金機において硬貨釣銭機１００や紙幣釣銭機２００における釣銭の不足金額を取得することができるようになるため，当該入出金機においてこの不足金額分の貨幣を釣銭準備金として自動的に出金させることができ
・図１，図２，図５には，以下の内容が示されている。
　　
　これらの記載事項からみて，引用文献２には，以下の事項（以下「引用文献２に記載された事項」という。）が記載されているといえる。
「店舗のフロント領域の精算所に設置されたレジユニット１８における硬貨釣銭機１００，紙幣釣銭機２００およびＰＯＳレジスタと，店舗のバックヤード領域に設置された，貨幣の入金処理および出金処理を行う入出金機と，レジユニット１８の硬貨釣銭機１００や紙幣釣銭機２００で用いられる釣銭準備金としての貨幣がこの入出金機から出金されるようになっており，紙幣回収カセット２０７の底面にはＩＣタグ２０７ｃが設けられており，このＩＣタグ２０７ｃに様々な情報（硬貨釣銭機１００や紙幣釣銭機２００の在高，紙幣回収カセット２０７に収納されている紙幣の金額や金種毎の枚数等）を記憶させることができ，紙幣回収カセット２０７に設けられたＩＣタグ２０７ｃに硬貨釣銭機１００や紙幣釣銭機２００の在高を書き込み，入出金機のＩＣリーダによりこのＩＣタグ２０７ｃの情報を読み取ることにより，入出金機において硬貨釣銭機１００や紙幣釣銭機２００における釣銭の不足金額を取得することができるようになるため，当該入出金機においてこの不足金額分の貨幣を釣銭準備金として自動的に出金させることができる，レジユニット１８と入出金機からなる貨幣処理システム。」
３．引用文献３について
　原査定の拒絶の理由に引用された引用文献３（特開２０１４−１７０４２１号公報）には，次の事項が記載されている。
 ・「【技術分野】
【０００１】
　この発明は，商取引に基づいて貨幣の入出金を行なう釣銭機等の貨幣処理機を有する貨幣管理システム及び貨幣管理方法に関する。」
・「【００３５】
　次に，売上回収を行う場合について説明する。売上回収を行う場合には，まず，店員は，図１（ｂ）に示すように，ＰＯＳ端末２０に対して売上回収操作を行う（１）。ＰＯＳ端末２０は，売上回収操作を受け付けると，釣銭機１０に対して売上回収操作の受付を通知する。
【００３６】
　
釣銭機１０は，
内部に所在する貨幣を回収カセットに移動させ，回収カセットを取外す
貨幣の一部を翌日の釣銭準備金として機内に残置することとしてもよい
【００３７】
　
釣銭機１０は，回収カセット７０に移動させた貨幣の金種と，その枚数とを示す回収金データを生成す
この回収金データには，回収する金種及び数
が含まれる
回収金データには，紙幣と硬貨の双方について金種及び数を持たせることが好適であ
【００３８】
　釣銭機１０は，生成した回収金データを電子マネー端末３０に送信する（３）。電子マネー端末３０は，店員により回収カセット７０がかざされたならば，回収カセット７０に付されたＩＣチップ８０に回収金データを書き込む（４）。なお，釣銭補充の場合と同様に，ＩＣカード４０を用いてもよい。
【００３９】
　店員は，回収カセット７０を携行し，入出金機５０まで移動する。店員が回収カセット７０のＩＣチップ８０をリーダライタ６０にかざすと，リーダライタ６０はＩＣチップ８０から回収金データを読み取る（５）。また，入出金機５０は，回収カセット７０から取り出された回収金の入金を受け付ける（６）。ここで，回収カセット７０に移動されず，払い出された硬貨がある場合には，硬貨の入金も受け付ける。入出金機５０は，回収金データに示された金種及び数と，実際に入金された貨幣の金種及び数とを比較することにより，回収が適正に行われたかを判定することができる。
【００４０】
　このように，実施例１に係る
貨幣管理システムでは
釣銭の補充や売上の回収を行う際に，釣銭機１０が入出金される貨幣の金種及び数を示すデータを生成し，ＩＣカード４０やＩＣチップ８０に書き込む
入出金機５０がＩＣカード４０やＩＣチップ８０から入出金される貨幣の金種及び数を読み取る
・「【００４３】
　次に，図１に示した釣銭機１０の内部構成について説明する。図３は，図１に示した釣銭機１０の内部構成を示すブロック図である。図３に示すように，釣銭機１０は，表示操作部１１，硬貨処理ユニット１２，棒金ドロア１３，紙幣処理ユニット１４，回収カセット部１５，通信部１６，記憶部１７及び制御部１８を有する。
【００４４】
　表示操作部１１は，タッチパネルディスプレイ，インジケータ，ボタン等の入出力装置である。表示操作部１１は，金種別の在高等のデータ情報や各種メッセージを表示可能である。
【００４５】
　硬貨処理ユニット１２は，硬貨投入口１２ａに投入された硬貨を受入れて識別し，金種別に収納するとともに，制御部１８から指定された金種及び枚数の硬貨を硬貨払出口１２ｂから払い出す。棒金ドロア１３は，硬貨を所定枚数重ねて包装した棒金を金種別に収納するとともに，取出し（出金）可能となっている。紙幣処理ユニット１４は，紙幣投入口１４ａに投入された紙幣を受入れて識別し，金種別に収納するとともに，制御部１８から指定された金種及び枚数の紙幣を繰出して紙幣払出口１４ｂから払い出したり，回収カセットへ移動させる。
【００４６】
　硬貨処理ユニット１２，棒金ドロア１３及び紙幣処理ユニット１４には，開店前に予め釣銭準備金として所定数の貨幣が金種別に収納されている。商品の会計時に顧客が硬貨を支払いに用いたならば，該硬貨は硬貨処理ユニット１２に入金処理される。また，商品の会計時に釣銭として硬貨を払い出す場合には，該硬貨は硬貨処理ユニット１２から出金処理される。釣銭として払い出すことで硬貨が少なくなり，同一金種の棒金が棒金ドロア１３に収納されているならば，棒金ドロア１３から棒金を取り出して，包装を解いて硬貨処理ユニット１２に入金処理する。
【００４７】
　硬貨を回収する場合には，回収分の硬貨は硬貨処理ユニット１２から出金処理され，容器等に回収される。また，硬貨を補充する場合には，補充分の硬貨が棒金であるならば棒金ドロア１３に装填され，補充分の硬貨が棒金でなければ硬貨処理ユニット１２に入金処理され，金種別に収納される。」
　これらの記載事項からみて，引用文献３には，以下の事項（以下「引用文献３に記載された事項」という。）が記載されているといえる。
「釣銭機１０は，内部に所在する貨幣を回収カセットに移動させ，回収カセットを取外し，貨幣の一部を翌日の釣銭準備金として機内に残置することとしてもよく，釣銭機１０は，回収カセット７０に移動させた貨幣の金種と，その枚数とを示す回収金データを生成し，この回収金データには，回収する金種及び数が含まれ，回収金データには，紙幣と硬貨の双方について金種及び数を持たせることが好適であり，釣銭の補充や売上の回収を行う際に，釣銭機１０が入出金される貨幣の金種及び数を示すデータを生成し，ＩＣカード４０やＩＣチップ８０に書き込み，入出金機５０がＩＣカード４０やＩＣチップ８０から入出金される貨幣の金種及び数を読み取る，
貨幣管理システム。」
第４．対比・判断
１．本願発明１について
（１）対比
ア．本願発明１と引用発明とを対比すると，後者の「現金出納装置２１」は前者の「貨幣処理装置」に相当し，以下同様に，「釣銭準備金を出金」することは「出金処理」に，「現金精算装置１１」は「貨幣処理装置とは別に設けられた貨幣釣銭機」又は「貨幣釣銭機」に，「紙幣出納装置２２」は「紙幣処理ユニット」に，「硬貨出納装置２３」は「硬貨処理ユニット」に，「現金搬送カセット３０」又は「紙幣カセット３０ａ」は「収納カセット」に，「記憶部」は「記録媒体」に，「リード・ライト部２５７ａ」は「読取部」及び「書込部」に，「搬送部２３０ａ」は収納部２５０ａから紙幣カセット３０ａへ紙幣を搬送するものであるから「払出手段」に，「制御部２９０ａ」は「制御部」に，それぞれ相当する。
イ．後者の「現金精算装置１１へ装填するための釣銭準備金を出金し，あるいは，現金精算装置１１から回収した売上金を入金する，現金出納装置２１」は，前者の「少なくとも貨幣の出金処理を行う貨幣処理装置」に相当する。
ウ．後者の「紙幣出納装置２２は」，「リード・ライト部２５７ａ」「とを備え」，「リード・ライト部２５７ａは，紙幣カセット３０ａに設けられた記憶部と通信可能に接続され，この記憶部に格納された情報を読み取り，あるいは，記憶部へ情報を書き込むことができるように構成され」ていることは，後者の「釣銭準備金の装填時，店員は，現金出納装置２１から出金して現金精算装置１１に装填する現金を，現金搬送カセット３０を用いて現金出納装置２１から現金精算装置１１に搬送」すること，及び，「出金処理は，紙幣精算装置１２に紙幣を補充する際に行われ，紙幣の出金は，紙幣カセット３０ａを用いても可能であり，紙幣カセット３０ａに搬送された紙幣は紙幣カセット３０ａに収納され，紙幣カセット３０ａの記憶部は収納する紙幣の金種別枚数を記憶する」ことを踏まえると，前者の「記録媒体に記録されている，前記貨幣処理装置とは別に設けられた貨幣釣銭機に関する情報である釣銭機情報を読み取る読取部と」「を備え」，「釣銭補充金に係る貨幣を前記貨幣処理装置から出金する際に，釣銭補充金としての紙幣の金種毎の枚数および硬貨の金種毎の枚数に係る情報を前記記録媒体に書き込む書込部を更に備え」ることとは，「貨幣処理装置」が「記録媒体に記録されている，情報を読み取る読取部と」「を備え」，「釣銭補充金に係る貨幣を貨幣処理装置から出金する際に，釣銭補充金としての紙幣の金種毎の枚数に係る情報を記録媒体に書き込む書込部を更に備え」ることにおいて共通する。
エ．後者の「紙幣出納装置２２は，入金部２１０ａ，搬送部２３０ａ，収納部２５０ａと，リード・ライト部２５７ａと，メモリ２７０ａと，制御部２９０ａとを備え，」「搬送部２３０ａは，収納部２５０ａから紙幣カセット３０ａへ紙幣を搬送し，あるいは，紙幣カセット３０ａから収納部２５０ａへ紙幣を搬送でき」ることを制御部２９０ａが行っていること及び上記ウ．を踏まえると，これらの事項と，前者の「貨幣処理装置」が「貨幣を払い出すための払出手段と，前記読取部により読み取られた釣銭機情報に基づいて前記貨幣釣銭機に補充されるべき貨幣を払い出すよう前記払出手段を制御する制御部と，を備え」ることとは，「貨幣処理装置」が「貨幣を払い出すための払出手段と，読取部により読み取られた情報に基づいて貨幣釣銭機に補充されるべき貨幣を払い出すよう払出手段を制御する制御部と，を備え」ることにおいて共通する。
オ．後者の「現金出納装置２１は，紙幣出納装置２２および硬貨出納装置２３を含み，紙幣出納装置２２は，紙幣精算装置１２へ装填する紙幣を出金し，紙幣精算装置１２から回収した紙幣を入金し，硬貨出納装置２３は，硬貨精算装置１３へ装填する硬貨を出金し，硬貨精算装置１３から回収した硬貨を入金」することは，前者の「貨幣処理装置は，少なくとも紙幣の出金処理を行う紙幣処理ユニットおよび少なくとも硬貨の出金処理を行う硬貨処理ユニットを含」むことに相当する。
カ．後者は「現金搬送カセット３０は，現金精算装置１１および現金出納装置２１に着脱可能に構成され，」「現金搬送カセット３０は，紙幣および硬貨のいずれか一方を収納および繰り出しできるように構成され，」「現金搬送カセット３０は，収納する現金に関する情報（金種別の数など）を記憶する記憶部を備え，紙幣用の現金搬送カセット３０は紙幣カセット３０ａであ」ることを踏まえると，後者の「現金搬送カセット３０」又は「紙幣カセット３０ａ」と，「記憶部」は，前者の「貨幣の収納および収納されている貨幣の繰り出しを行う収納カセットが着脱自在に装着されるようになっており，記録媒体は前記収納カセットに設けられて」いることに相当する。
キ．そうすると，両者は，
「少なくとも貨幣の出金処理を行う貨幣処理装置であって，
　記録媒体に記録されている，情報を読み取る読取部と，
　貨幣を払い出すための払出手段と，
　前記読取部により読み取られた情報に基づいて貨幣釣銭機に補充されるべき貨幣を払い出すよう前記払出手段を制御する制御部と，
　を備え，
　前記貨幣処理装置は，少なくとも紙幣の出金処理を行う紙幣処理ユニットおよび少なくとも硬貨の出金処理を行う硬貨処理ユニットを含み，
　貨幣の収納および収納されている貨幣の繰り出しを行う収納カセットが着脱自在に装着されるようになっており，
　前記記録媒体は前記収納カセットに設けられており，
　釣銭補充金に係る貨幣を前記貨幣処理装置から出金する際に，釣銭補充金としての紙幣の金種毎の枚数に係る情報を前記記録媒体に書き込む書込部を更に備えた，
　貨幣処理装置。」
の点で一致し，以下の各点で相違すると認められる。
＜相違点１＞
　読取部が読みとる情報に関して，本願発明１では，「前記貨幣処理装置とは別に設けられた貨幣釣銭機に関する情報である釣銭機情報」であるのに対して，引用発明では，「紙幣カセット３０ａ」に「収納する紙幣の金種別枚数」である点。
＜相違点２＞
　釣銭補充金としての紙幣の金種毎の枚数に係る情報を前記記録媒体に書き込む書込部に関して，紙幣の金種毎の枚数に係る情報に加えて，本願発明１では，「硬貨の金種毎の枚数」に係る情報も書き込むのに対して，引用発明では，そのような特定はなされていない点。
＜相違点３＞
　本願発明１では，「前記収納カセットが装着された際に前記読取部により読み取られた第１の釣銭機情報に含まれる前記貨幣釣銭機の在高に係る情報と，装着されている前記収納カセットに釣銭補充金に係る紙幣が収納される際に前記書込部で書き込まれた前記釣銭補充金に係る情報と，釣銭補充金に係る紙幣が収納されている前記収納カセットが取り外された後，再び前記収納カセットが装着された際に前記読取部により読み取られた第２の釣銭機情報とに基づいて，釣銭補充金に係る紙幣が収納された後に取り外された前記収納カセットが前記貨幣釣銭機に装着されて当該貨幣釣銭機に前記釣銭補充金に係る貨幣が入金されてから取り外されるまでの間において前記貨幣釣銭機に入金された売上金に係る貨幣の金種毎の枚数が算出される」のに対して，引用発明では，そのような特定はなされていない点。
（２）相違点の判断
　事案に鑑み，まず，相違点３について検討する。
　引用文献２には，硬貨釣銭機１００や紙幣釣銭機２００（貨幣釣銭機）の在高にかかる情報や紙幣回収カセット２０７に収納されている紙幣の金額や金種毎の枚数（釣銭補充金）に係る情報を紙幣回収カセット２０７（収納カセット）のＩＣタグ２０７ｃ（記憶媒体）に記憶させることについての記載がされ，引用文献３には，釣銭の補充や売上の回収を行う際に，釣銭機１０（貨幣釣銭機）が入出金される貨幣の金種及び数を示すデータを生成し，入出金機５０（貨幣処理装置）が入出金される貨幣の金種及び数を読み取ることが記載されているといえる。
　しかしながら，上記相違点３に係る本願発明１の構成である「前記収納カセットが装着された際に前記読取部により読み取られた第１の釣銭機情報に含まれる前記貨幣釣銭機の在高に係る情報と，装着されている前記収納カセットに釣銭補充金に係る紙幣が収納される際に前記書込部で書き込まれた前記釣銭補充金に係る情報と，釣銭補充金に係る紙幣が収納されている前記収納カセットが取り外された後，再び前記収納カセットが装着された際に前記読取部により読み取られた第２の釣銭機情報とに基づいて,釣銭補充金に係る紙幣が収納された後に取り外された前記収納カセットが貨幣釣銭機に装着されて当該貨幣釣銭機に前記釣銭補充金に係る貨幣が入金されてから取り外されるまでの間において前記釣銭機に入金された売上金に係る貨幣の金種毎の枚数が算出される」という構成（以下「構成α」という。）は，各引用文献（引用文献２，引用文献３）のいずれにも記載されておらず，この構成αにより，「店員等が手管理によって上記の期間における売上金に係る貨幣の金種毎の枚数を算出する必要がなくなり，売上金に違算が発生してしまうことを防ぐことができる」という格別の作用効果を奏するものである。
　そうすると，上記相違点１，２については検討するまでもなく，本願発明１は，引用発明，引用文献２に記載された事項及び引用文献３に記載された事項に基いて，当業者が容易に発明をすることができたものではない。
　また，原査定において，請求項６−８について引用した引用文献４（特開２０１３−１０５１９８号公報）にも，上記構成αは記載されていない。
２．本願発明２〜９について　
　本願発明２〜９は，本願発明１の発明特定事項を全て含み，さらに限定して発明を特定するものであるから，本願発明２〜５については，本願発明１と同じ理由により，引用発明，引用文献２に記載された事項，及び，引用文献３に記載された事項に基いて当業者が容易に発明をできたものではなく，本願発明６〜９については，引用発明，引用文献２に記載された事項，引用文献３に記載された事項，及び，引用文献４に記載された事項に基いて当業者が容易に発明をできたものではない。
３．本願発明１０について
　本願発明１０は，本願発明１に対応する方法の発明であり，本願発明１の「構成α」に対応する「構成α’」(「前記収納カセットが装着された際に前記読取部により読み取られた第１の釣銭機情報に含まれる前記貨幣釣銭機の在高に係る情報と，装着されている前記収納カセットに釣銭補充金に係る紙幣が収納される際に前記書込部で書き込まれた前記釣銭補充金に係る情報と，釣銭補充金に係る紙幣が収納されている前記収納カセットが取り外された後，再び前記収納カセットが装着された際に前記読取部により読み取られた第２の釣銭機情報
に含まれる貨幣釣銭機の在高に係る情報
第５　原査定の概要及び原査定についての判断
１．原査定の概要
１）（新規事項）令和　１年　７月　４日付け手続補正書でした補正は，下記の点で願書に最初に添付した明細書，特許請求の範囲又は図面に記載した事項の範囲内においてしたものでないから，特許法第１７条の２第３項に規定する要件を満たしていない。
２）（進歩性）この出願の下記の請求項に係る発明は，その出願前に日本国内又は外国において，頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　　　　　　　　　　　　　　　　記
●理由１について
１．請求項３を独立形式項として加入する補正は，願書に最初に添付した明細書，特許請求の範囲又は図面の記載の範囲内においてしたものではない。
　請求項３に係る発明は独立形式項として記載されているので，その貨幣処理装置には包装硬貨収納ユニットのみを含み，記憶媒体に記憶された釣銭機情報を読み出さないものを包含する。
　一方，本願の願書に最初に添付した明細書及び図面により開示された実施例における貨幣入出金機は，紙幣処理ユニット，硬貨処理ユニット及び包装硬貨収納ユニットが収容されたもの（［００２０］，［００２５］，図１−２）として記載されており，硬貨処理ユニットで扱うバラの硬貨や紙幣はカセットにより運搬されるのに対し，包装硬貨は別の収納ケースに収納して運搬される（［００７６］）ものとして記載されている。カセットに設けられた記憶媒体から釣銭機情報を読み取ることで在高を管理する（［００７５］−［００７６］）ことで［０００６］に記載された課題を解決するものであることを勘案すると，本願の願書に最初に添付した明細書及び図面においては包装硬貨収納ユニットのみを含み，記憶媒体に記憶された釣銭機情報を読み出さない貨幣処理装置は記載されていないものと認められる。本願の願書に最初に添付した特許請求の範囲には，請求項１及び９に記載されている様に記録媒体に記録されている釣銭機情報を読み出すことが必須の要件として記載されており，これを含まないものは記載されていない。
２．請求項１に対して「釣銭補充金に係る貨幣を前記貨幣処理装置から出金する際に，釣銭補充金としての紙幣の金種毎の枚数および硬貨の金種毎の枚数に係る情報を前記記録媒体に書き込む書込部を更に備えた」ことを加入する補正をしたため，請求項９に係る発明における貨幣処理装置は，補正前の請求項８で規定された「前記記録媒体に情報を書き込む書込部」と上述した請求項１に加入された書込部とをともに有するものとなった。このことは，願書に最初に添付した明細書，特許請求の範囲又は図面に記載されていない。
　本願の願書に最初に添付した特許請求の範囲には，書込部は払出手段により貨幣を払い出している間に異常が発生した場合に，払出手段により払い出すことができなかった貨幣の金種毎の枚数に係る情報を記録媒体に書き込むためのもの（請求項８）のみが記載されており，複数の書込部を有することは記載されていない。
　本願の願書に最初に添付した明細書及び図面に記載された貨幣入出金機１００にはカセット装着部１２６に書込部１２８を設ける（［００２８］，図６）ことが記載されているが，複数の書込部を設けることは記載されていない。なお，書込部２２８は貨幣釣銭機２００のカセット装着部２２６に設けられたもの（［００５０］，図７−８）であって，貨幣入出金機１００に設けられたものではないことに留意されたい。
●理由２について
・請求項　　　１−２，４，５
・引用文献等　１−３
・請求項　　　６−８
・引用文献等　１−４
＜引用文献等一覧＞
１．特開２０１２−１７４０６２号公報
２．特開２０１５−９２３２６号公報
３．特開２０１４−１７０４２１号公報
４．特開２０１３−１０５１９８号公報
２．原査定についての判断
（１）理由１（新規事項の追加）について
ア．令和１年７月４日付け手続補正において独立請求項として記載されていた請求項３を，本願発明３では補正後の本願発明１に従属するものとなるよう補正した。この補正により，包装硬貨収納ユニットのみを含むものではなくなったため，願書に最初に添付した明細書，特許請求の範囲又は図面（以下「当初明細書等」という。）に記載した事項との関係において新たな技術的事項を導入するものではなく，新規事項を追加するものではなくなった。
イ．さらに，令和１年７月４日付け手続補正における請求項９の記載内容を変更する補正を行い，「前記記録媒体に情報を書き込む書込部をさらに備え，」という構成を削除し，貨幣処理装置により，貨幣釣銭機に入金された売上金に係る貨幣の金種毎の枚数を算出するための構成をより明確に記載にするため，具体的には，補正後の本願発明９として，「前記貨幣釣銭機に装着されてから取り外された前記収納カセットの前記記録媒体から読み取られた前記貨幣釣銭機の在高における貨幣の金種毎の枚数から，前記書込部より前記記録媒体に書き込まれた前記釣銭補充金に係る貨幣の金種毎の枚数，および前記釣銭補充金に係る貨幣を貨幣処理装置から出金する前に前記記録媒体から読み取られた前記貨幣釣銭機の在高における貨幣の金種毎の枚数をそれぞれ差し引くことにより，前記貨幣釣銭機に入金された売上金に係る貨幣の金種毎の枚数が算出される」ようになっていることを限定した。
　当該補正事項は，願書に最初に添付した明細書の段落【００８７】の「・・・貨幣入出金機１００において，カセット装着部１２６に設けられた読取部１２９によって，収納カセット３００に設けられた記録媒体３０４に記録されている情報が読み取られる（ＳＴＥＰ２１）。そして，売上金管理手段１０９は，ＳＴＥＰ７およびＳＴＥＰ２１に示す工程においてそれぞれ
読取部１２９により
読み取られた貨幣釣銭機２００の在高に係る情報と
書込部１２８により
書き込んだ釣銭補充金に係る情報とに基づいて
収納カセット３００が貨幣釣銭機２００に装着されてから
当該収納カセット３００が貨幣釣銭機２００から取り外されるまでの間に貨幣釣銭機２００に入金された売上金に係る貨幣の情報を管理するようになっている（
具体的には，
貨幣釣銭機２００に入金された売上金に係る貨幣の金種毎の枚数が算出される
（２）理由２（進歩性）について
　本願発明１，１０は，それぞれ構成αを有するものとなっており，上記のとおり，本願発明１〜５，１０については，引用発明，引用文献２に記載された事項，及び，引用文献３に記載された事項に基いて当業者が容易に発明をできたものではなく，本願発明６〜９については，引用発明，引用文献２に記載された事項，引用文献３に記載された事項，及び，引用文献４に記載された事項に基いて当業者が容易に発明をできたものではない。
　したがって，原査定を維持することはできない。
第６　当審拒絶理由について
１．当審拒絶理由の概要
　当審拒絶理由の概要は次のとおりである。
「本件出願は，特許請求の範囲の記載が下記の点で不備のため，特許法第３６条第６項第２号に規定する要件を満たしていない。
　　　　　　　　　　　　　　　　　　　　記
１．請求項１の「前記読取部により読み取られた釣銭機情報に含まれる前記貨幣釣銭機の在高に係る情報と，前記書込部で書き込まれた前記釣銭補充金に係る情報に基づいて，前記収納カセットが前記貨幣釣銭機に装着されて当該貨幣釣銭機に前記釣銭補充金に係る貨幣が入金されてから取り外されるまでの間において前記釣銭機に入金された売上金に係る貨幣の金種毎の枚数が算出される」という記載の「前記読取部により読み取られた釣銭機情報」と，同じく請求項１の「前記読取部により読み取られた釣銭機情報に基づいて前記貨幣釣銭機に補充されるべき貨幣を払い出すよう前記払出手段を制御する制御部」の「前記読取部により読み取られた釣銭機情報」との異同が判然とせず，両者が同じ「釣銭機情報」であるとすると，上記「前記読取部により読み取られた釣銭機情報に含まれる前記貨幣釣銭機の在高に係る情報と，前記書込部で書き込まれた前記釣銭補充金に係る情報に基づいて，前記収納カセットが前記貨幣釣銭機に装着されて当該貨幣釣銭機に前記釣銭補充金に係る貨幣が入金されてから取り外されるまでの間において前記釣銭機に入金された売上金に係る貨幣の金種毎の枚数が算出される」の「前記収納カセットが前記貨幣釣銭機に装着されて当該貨幣釣銭機に前記釣銭補充金に係る貨幣が入金されてから取り外されるまでの間において前記釣銭機に入金された売上金に係る貨幣の金種毎の枚数が算出される」こと（以下「構成Ａ」という。）が達成できないものと認められるから，請求項１の上記記載は明確でない。 
　補足すると，構成Ａを達成するためには，明細書の段落【００８７】の少なくとも「売上金管理手段１０９は，ＳＴＥＰ７およびＳＴＥＰ２１に示す工程においてそれぞれ読取部１２９により記録媒体３０４から読み取られた貨幣釣銭機２００の残高に係る情報」に基づく必要があるが，請求項１の上記記載では，ＳＴＥＰ７およびＳＴＥＰ２１の両工程を含むものとは解せないため，上記構成Ａが達成できるものとは認められない。
　よって，請求項１の上記記載は明確でない。
　また，請求項１０の記載も同様の理由により明確でない。
２．請求項３は，請求項１または２を引用しており，請求項２では，「前記収納カセットは」「紙幣のみが収容される」ものである。
　そうすると，請求項２を引用する請求項３において，「釣銭補充金に係る貨幣を前記貨幣処理装置から出金する際に，釣銭補充金としての包装硬貨の金種毎の本数に係る情報も前記書込部により前記記録媒体に書き込まれる」ことの技術的意義が不明である。
　よって，請求項２を引用する請求項３の記載は明確でない。
３．請求項４は，請求項１乃至３を引用しており，請求項５は，請求項４を引用するものであるところ，請求項２では，「前記収納カセットは」「紙幣のみが収容される」ことを特定し，請求項４では，「前記釣銭機情報は，包装硬貨の在高を含む前記貨幣釣銭機の在高である」ことを特定し，請求項５では，「前記記憶部に記憶されている貨幣の金種毎の残置設定枚数から前記読取部により読み取られた前記貨幣釣銭機の在高に係る貨幣の金種毎の枚数を差し引くことにより，前
記払出手段により払い出されるべき貨幣の金種毎の枚数が算出される」ことを特定している。
　そうすると，請求項２を引用する請求項４をさらに引用する請求項５において，「前記収納カセットは」「紙幣のみが収容される」ものであるとすると，「前記釣銭機情報は，包装硬貨の在高を含む前記貨幣釣銭機の在高であ」って，「前記記憶部に記憶されている貨幣の金種毎の残置設定枚数から前記読取部により読み取られた前記貨幣釣銭機の在高に係る貨幣の金種毎の枚数を差し引くことにより，前記払出手段により払い出されるべき貨幣の金種毎の枚数が算出される」ことの技術的な意義が不明である。
　よって，請求項２を引用する請求項４をさらに引用する請求項５の記載は，明確でない。」
２．判断
（１）上記１．について
　令和３年４月２８日付けの補正において，上記構成αと補正された結果，「釣銭機情報」に関する構成は明確になったから，この拒絶理由は解消した。
（２）上記２．について
　令和３年４月２８日付けの補正において，請求項３は請求項１のみを引用し，請求項２を引用しないものとなったため，この拒絶理由は解消した。
（３）上記３．について
　令和３年４月２８日付けの補正において，請求項５は請求項１のみを引用し，請求項２を引用しないものとなったため，この拒絶理由は解消した。
第７．むすび
　以上のとおり，原査定の理由によっては，本願を拒絶することはできない。
　また，他に本願を拒絶すべき理由を発見しない。
　よって，結論のとおり審決する。